(57)【特許請求の範囲】
【請求項１】
第１機器と第２機器とを有して構成された電子機器において、
前記第１機器に配設された第１コイルと、
前記第２機器に配設されて、前記第１コイルとは電磁的に結合可能な第２コイルと、
前記第１コイルに信号を供給して外部磁界を発生させる信号供給手段と、
前記第１コイルおよび第２コイルを介して信号転送を行う信号転送手段と、
前記外部磁界によって変化する前記第２コイルの電気的状態を検出する状態検出手段と、
前記状態検出手段による検出結果にしたがって、前記第１コイルおよび前記第２コイルの位置関係を判別する位置判別手段と、
前記信号供給手段による外部磁界の発生と、前記信号転送手段による信号転送とが交互に実行されるように前記信号供給手段と前記信号転送手段とを制御するとともに、前記位置判別手段により、前記第１コイルおよび第２コイルの位置関係が所定の関係にある場合と、所定の関係に無い場合とで、前記信号供給手段による前記第１コイルへの信号供給と前記信号転送手段による信号転送との実行比率を変化させる制御手段と
を備えたことを特徴とする電子機器。
【請求項２】
複数の周波数の駆動クロックを生成し、該駆動クロックを前記第２機器の各部に出力する駆動クロック生成手段を有し、
前記信号転送手段は、前記駆動クロック生成手段により生成された駆動クロックに基づいて動作し、前記第１コイルおよび第２コイルを介して信号転送を行い、
前記駆動クロック生成手段は、前記信号転送手段が信号転送を行わない間には、第１周波数の駆動クロック信号を生成して出力し、前記信号転送手段が信号転送を行う間には、前記第１周波数より周波数の高い第２周波数の駆動クロック信号を生成して出力すること
を特徴とする請求項１に記載の電子機器。
【請求項３】
二次電池を間欠的に充電する充電手段と、
前記充電手段による充電が中断されてから一定時間経過した場合における前記二次電池の電圧を検出する第１電圧検出手段と、
前記充電手段による充電が行われている場合における前記二次電池の電圧を検出する第２電圧検出手段と、
前記第２電圧検出手段により検出された電圧から前記第１電圧検出手段により検出された電圧を減算する減算手段と、
前記減算手段による減算結果から前記二次電池の容量を推定する推定手段と
を有する電子機器。
【請求項４】
第１コイルを備えた充電機器と、第２コイルを備えた被充電機器とを有して構成され、前記第１コイルおよび前記第２コイル同士の電磁結合あるいは電磁誘導によって電力を転送するとともに、前記被充電機器が、前記転送された電力を二次電池に間欠的に充電する電子機器であって、
充電が中断されてから一定時間経過した場合における前記二次電池の電圧を検出する第１電圧検出手段と、
前記第１電圧検出手段により検出された電圧、あるいは、これに基づく推定結果を、前記第１コイルおよび前記第２コイルを介して転送する転送手段と、
充電と前記転送手段による信号転送とを交互に実行するように制御するとともに、前記転送手段の転送結果にしたがって、充電と前記転送手段による信号転送との実行比率を制御する制御手段と
を備えたことを特徴とする電子機器。
【請求項５】
二次電池を間欠的に充電する充電手段と、
前記充電手段による充電の中断から一定時間経過した時点における前記二次電池の電圧を検出する第１電圧検出手段と、
前記充電の中断後に前記充電手段による充電が再開される直前の時点における前記二次電池の電圧を検出する第２電圧検出手段と、
前記第１電圧検出手段により検出された前記二次電池の電圧と、前記第２電圧検出手段により検出された前記二次電池の電圧と、の電圧差に基づいて前記二次電池の容量を推定する推定手段と
を備えたことを特徴とする電子機器。
【請求項６】
二次電池を充電する過程と、
前記二次電池の充電を中断させる過程と、
前記二次電池の充電を再開させる過程と、
前記充電の中断から一定時間経過した時点における前記二次電池の電圧である中断時電圧を検出する過程と、
前記充電の再開時の直前の時点における前記二次電池の電圧である再開時電圧を検出する過程と、
前記中断時電圧と、前記再開時電圧と、の電圧差に基づいて前記二次電池の容量を推定する過程と
を備えたことを特徴とする二次電池の容量推定方法。
【請求項７】
二次電池を間欠的に充電する充電手段と、
前記充電手段による充電の中断後に前記充電手段による充電が再開される直前の時点における前記二次電池の電圧を検出する第１の電圧検出手段と、
前記充電の再開直後の時点における前記二次電池の電圧を検出する第２の電圧検出手段と、
前記第１の電圧検出手段により検出された前記二次電池の電圧と、前記第２の電圧検出手段により検出された前記二次電池の電圧と、の電圧差に基づいて前記二次電池の容量を推定する推定手段と
を備えたことを特徴とする電子機器。
【請求項８】
二次電池を充電する過程と、
前記二次電池の充電を中断させる過程と、
前記二次電池の充電を再開させる過程と、
前記充電の中断後に前記充電が再開される直前の時点における前記二次電池の電圧である再開直前電圧を検出する過程と、
前記充電の再開直後の時点における前記二次電池の電圧である再開直後電圧を検出する過程と、
前記再開直前電圧と、前記再開直後電圧と、の電圧差に基づいて前記二次電池の容量を推定する過程と
を備えたことを特徴とする二次電池の容量推定方法。
【発明の詳細な説明】
技術分野
本発明は、互いに対向する位置に配設されたコイル同士の電磁的な結合により電力転送あるいは信号転送する場合に、両コイルの位置ずれなどを検出し、両コイルの位置ずれなどに応じて充電・データ転送を制御することが可能な電子機器、および、電子機器の制御方法並びに充電されている二次電池の容量を簡易な構成によって推定可能な電子機器、二次電池の容量推定方法、および、推定結果にしたがって二次電池の充電を制御する充電制御方法に関する。
背景技術
近年、携帯端末や電子時計などのような小型携帯電子機器をステーションと呼ばれる充電器に収容して、当該携帯電子機器の充電とともに、データ転送などが行われつつある。ここで、充電やデータ転送などについて電気的接点を介して行う構成にすると、これら接点が露出するため、防水性の面において問題が発生する。このため、充電や信号転送などは、ステーションと携帯電子機器との双方に配設されたコイルの電磁的な結合によって非接触で行う構成が望ましい。
非接触で充電を行う技術としては、例えば、特開昭６４−２３７３０号公報に開示された技術がある。また、非接触でデータの送信を行う技術としては、例えば、特開昭６２−１３３８２９号公報や、特開昭５７−３２１４４号公報に開示された技術がある。
このような構成において、ステーション側のコイルに高周波信号を印加すると、外部磁界が発生して、携帯電子機器側のコイルに誘起電圧が発生する。そして、この誘起電圧をダイオード等により整流することにより、携帯電子機器に内蔵された二次電池を非接触で充電することが可能となる。また、両者コイルの電磁的な結合により、ステーションから携帯電子機器へ、あるいは、携帯電子機器からステーションへと信号を非接触で双方向に転送することも可能となる。
ところで、ステーション側のコイルおよび携帯電子機器側のコイルには、互いに電磁的に結合することだけではなく、充電や信号転送の効率を高めることも要求される。このため、従来では、携帯電子機器がステーションに収容された場合に、両コイルの巻回面が平行であって、それらの中心が一致する位置関係を確保する構成となっていた。
しかしながら、携帯電子機器をステーションに収容するだけで、両コイルを上記位置関係とするのは、例えば、コイルがステーションあるいは携帯電子機器に配設される精度などによって困難である。
さらには、携帯電子機器がステーションに収容されていないにもかかわらず、充電を行うのは、ステーション側のコイルに高周波信号を無用に印加することになり、消費電力の無駄にもなる。
そこで、充電や信号転送するにあたっては、両コイルの位置関係を検出する構成が不可欠であると考えられる。
コイルの位置を見出す技術としては、例えば、特開平８−２５７１４４号公報に開示された技術がある。
ここで、両コイルの位置関係を接触等により機械的に検出する構成は、上述したように、防水性の面において問題が発生する。したがって、互いに対向する位置に配設されたコイル同士の電磁的な結合により電力転送や信号転送する場合には、両コイルの位置関係を非接触で検出することが要求されているのである。
そこで、本発明の第１の目的は、携帯電子機器やステーションなどのように、互いに分離した２以上の機器間において、互いに対向する位置にそれぞれ配設されたコイルとの電磁的な結合によって電力転送や信号転送する場合に、両コイルの位置ずれや、被充電機器の不存在を非接触で検出するとともに、その検出結果に応じて充電やデータ転送を制御することが可能な電子機器、および、電子機器の制御方法を提供することにある。
また、上記構成で二次電池を所望の容量まで充電する場合において、その容量以上の充電は不要な電力の消費であり、不経済である。さらに、定格容量以上の充電は液漏れ等が発生するおそれすらある。したがって、二次電池の充電においては、二次電池の容量に応じて、充電制御を行う構成が望ましい。
そこで、充電時における二次電池の端子電圧から二次電池の容量を推定する構成が考えられた。
二次電池の残量を検出する技術としては、例えば、特開平４−２４８３３３号公報や、特開昭５５−１０８３２号公報に開示された技術がある。
しかしながら、例えば、二次電池の端子電圧がほとんど充電電圧に近くなったからといって、所定の容量近くまで充電されるとは限らない。また、充電時における二次電池の端子電圧は、その内部抵抗に起因して持ち上がるため、真の二次電圧を示すことにはならない。これらのため、充電時における二次電池の端子電圧から容量を正確に推定する構成は期待できない。
そこで、本発明の第２の目的は、充電されている二次電池の容量を簡易な構成によって推定可能な電子機器および二次電池の容量推定方法を提供することにある。
さらに、携帯電子機器が二次電池の容量を正確に推定することができても、コイル同士の電磁的な結合により電力転送する場合、電力転送する主体は、あくまでもステーションであるため、電池容量をステーションに通知しなくては、充電を制御することができない。このような通知について電気的接点を介して行う構成は、上述したように、防水性の面において問題が発生する。
そこで、本発明の第３の目的は、充電機器が、被充電機器へ、互いに分離した２以上の機器間において、互いに対向する位置にそれぞれ配設されたコイルとの電磁的な結合によって非接触で二次電池を充電する場合であっても、二次電池の容量等を非接触で充電機器へ通知して、所望の容量に充電することが可能な電子機器、および、充電制御方法を提供することにある。
特開平３−５７００７号公報には、装置の状態に応じてクロックを変更する技術が開示されている。
発明の開示
本発明は、第１機器と第２機器とを有して構成された電子機器において、前記第１機器に配設された第１コイルと、前記第２機器に配設されて、前記第１コイルとは電磁的に結合可能な第２コイルと、前記第１コイルに信号を供給して外部磁界を発生させる信号供給手段と、前記第１コイルおよび第２コイルを介して信号転送を行う信号転送手段と、前記外部磁界によって変化する前記第２コイルの電気的状態を検出する状態検出手段と、前記状態検出手段による検出結果にしたがって、前記第１コイルおよび前記第２コイルの位置関係を判別する位置判別手段と、前記信号供給手段による外部磁界の発生と、前記信号転送手段による信号転送とが交互に実行されるように前記信号供給手段と前記信号転送手段とを制御するとともに、前記位置判別手段により、前記第１コイルおよび第２コイルの位置関係が所定の関係にある場合と、所定の関係に無い場合とで、前記信号供給手段による前記第１コイルへの信号供給と前記信号転送手段による信号転送との実行比率を変化させる制御手段とを備えたことを特徴とする電子機器を提供する。
この態様においては、複数の周波数の駆動クロックを生成し、該駆動クロックを前記第２機器の各部に出力する駆動クロック生成手段を有し、前記信号転送手段は、前記駆動クロック生成手段により生成された駆動クロックに基づいて動作し、前記第１コイルおよび第２コイルを介して信号転送を行い、前記駆動クロック生成手段は、前記信号転送手段が信号転送を行わない間には、第１周波数の駆動クロック信号を生成して出力し、前記信号転送手段が信号転送を行う間には、前記第１周波数より周波数の高い第２周波数の駆動クロック信号を生成して出力するようにしてもよい。
また本発明は、二次電池を間欠的に充電する充電手段と、前記充電手段による充電が中断されてから一定時間経過した場合における前記二次電池の電圧を検出する第１電圧検出手段と、前記充電手段による充電が行われている場合における前記二次電池の電圧を検出する第２電圧検出手段と、前記第２電圧検出手段により検出された電圧から前記第１電圧検出手段により検出された電圧を減算する減算手段と、前記減算手段による減算結果から前記二次電池の容量を推定する推定手段とを有する電子機器を提供する。
また本発明は、第１コイルを備えた充電機器と、第２コイルを備えた被充電機器とを有して構成され、前記第１コイルおよび前記第２コイル同士の電磁結合あるいは電磁誘導によって電力を転送するとともに、前記被充電機器が、前記転送された電力を二次電池に間欠的に充電する電子機器であって、充電が中断されてから一定時間経過した場合における前記二次電池の電圧を検出する第１電圧検出手段と、前記第１電圧検出手段により検出された電圧、あるいは、これに基づく推定結果を、前記第１コイルおよび前記第２コイルを介して転送する転送手段と、充電と前記転送手段による信号転送とを交互に実行するように制御するとともに、前記転送手段の転送結果にしたがって、充電と前記転送手段による信号転送との実行比率を制御する制御手段とを備えたことを特徴とする電子機器を提供する。
また本発明は、二次電池を間欠的に充電する充電手段と、前記充電手段による充電の中断から一定時間経過した時点における前記二次電池の電圧を検出する第１電圧検出手段と、前記充電の中断後に前記充電手段による充電が再開される直前の時点における前記二次電池の電圧を検出する第２電圧検出手段と、前記第１電圧検出手段により検出された前記二次電池の電圧と、前記第２電圧検出手段により検出された前記二次電池の電圧と、の電圧差に基づいて前記二次電池の容量を推定する推定手段とを備えたことを特徴とする電子機器を提供する。
また本発明は、二次電池を充電する過程と、前記二次電池の充電を中断させる過程と、前記二次電池の充電を再開させる過程と、前記充電の中断から一定時間経過した時点における前記二次電池の電圧である中断時電圧を検出する過程と、前記充電の再開時の直前の時点における前記二次電池の電圧である再開時電圧を検出する過程と、前記中断時電圧と、前記再開時電圧と、の電圧差に基づいて前記二次電池の容量を推定する過程とを備えたことを特徴とする二次電池の容量推定方法を提供する。
また本発明は、二次電池を間欠的に充電する充電手段と、前記充電手段による充電の中断後に前記充電手段による充電が再開される直前の時点における前記二次電池の電圧を検出する第１の電圧検出手段と、前記充電の再開直後の時点における前記二次電池の電圧を検出する第２の電圧検出手段と、前記第１の電圧検出手段により検出された前記二次電池の電圧と、前記第２の電圧検出手段により検出された前記二次電池の電圧と、の電圧差に基づいて前記二次電池の容量を推定する推定手段とを備えたことを特徴とする電子機器を提供する。
また本発明は、二次電池を充電する過程と、前記二次電池の充電を中断させる過程と、前記二次電池の充電を再開させる過程と、前記充電の中断後に前記充電が再開される直前の時点における前記二次電池の電圧である再開直前電圧を検出する過程と、前記充電の再開直後の時点における前記二次電池の電圧である再開直後電圧を検出する過程と、前記再開直前電圧と、前記再開直後電圧と、の電圧差に基づいて前記二次電池の容量を推定する過程とを備えたことを特徴とする二次電池の容量推定方法を提供する。
【図面の簡単な説明】
図１は、本発明の実施形態にかかるステーションおよび電子時計の構成を示す平面図である。
図２は、同ステーションおよび同電子時計の構成を示す断面図である。
図３は、同ステーションの電気的構成を示すブロック図である。
図４（ａ）および（ｂ）は、それぞれ同ステーションにおける信号ｅたる第１および第２充電信号の波形を示す図である。
図５は、同ステーションにおけるコマンド検出器の構成を示すブロック図である。
図６（ａ）および（ｂ）は、同コマンド検出器の動作を説明するためのタイミングチャートである。
図７は、同ステーションの受信回路の一例を示す回路図である。
図８（ａ）〜（ｅ）は、それぞれ同受信回路の動作を説明するためのタイミングチャートである。
図９は、同電子時計の電気的構成を示すブロック図である。
図１０（ａ）〜（ｆ）は、それぞれ同電子時計における動作を説明するためのタイミングチャートである。
図１１は、同ステーションおよび同電子時計の間における充電・データ転送の動作を示すフローチャートである。
図１２は、同ステーションにおける充電・データ転送の動作を示すフローチャートである。
図１３（ａ）〜（ｄ）は、それぞれ同ステーションにおける表示部の表示の一例を示す図である。
図１４（ａ）〜（ｄ）は、それぞれ同ステーションおよび同電子時計の間における具体的動作を説明するためのタイミングチャートである。
図１５は、二次電池の電圧と充電電流の関係を説明するための図である。
図１６は、第２実施形態の電子時計の電気的構成を示すブロック図である。
図１７は、第２実施形態のしきい値テーブルの説明図である。
図１８は、第２実施形態のステーションおよび電子時計の間における充電・データ転送の動作を示すフローチャートである。
図１９は、ずれ量と出力電流の関係を説明するための図である。
図２０は、第３実施形態の電子時計の電気的構成を示すブロック図である。
図２１（ａ）〜（ｄ）は、それぞれ第３実施形態の電子時計における動作を説明するためのタイミングチャートである。
図２２は、間欠的な充電において、放電時から充電時への移行に伴う電圧上昇分ΔＥvと、電池電圧との関係を示す図である。
図２３は、変換テーブルにおける変換内容を示す図である。
図２４は、第３実施形態のステーションおよび電子時計の間における充電・データ転送の動作を示すフローチャートである。
図２５は、第３実施形態のステーションにおける充電・データ転送の動作を示すフローチャートである。
図２６（ａ）〜（ｃ）は、それぞれ第３実施形態のステーションにおける表示部の表示の一例を示す図である。
図２７は、本発明の第４実施形態にかかる電子時計の構成を示すブロック図である。
図２８は、第４実施形態にかかるステーションおよび電子時計の間における充電・データ転送の動作を示すフローチャートである。
図２９は、一般的な二次電池の充放電特性を示す図である。
図３０は、二次電池の内部インピーダンスによる電圧上昇を説明するための図である。
図３１は、放電時から充電時への移行に伴う電圧上昇を説明するための回路図である。
図３２は、第５実施形態の電子時計の電気的構成を示すブロック図である。
図３３（ａ）〜（ｄ）は、それぞれ第５実施形態の電子時計における動作を説明するためのタイミングチャートである。
図３４は、間欠的な充電において、放電時から充電時への移行に伴う電圧下降分ΔＥv’と、電池電圧との関係を示す図である。
図３５は、第５実施形態の変換テーブルにおける変換内容を示す図である。
図３６は、第７実施形態の動作を説明するための図である。
発明を実施するための最良の形態
【発明の実施の形態】
［１］  第１実施形態
以下、本発明の一実施形態について説明する。なお、本実施形態にあっては、第１の機器としてステーションを、第２の機器としてステーションにより充電される電子機器を、それぞれ例にとって説明するが、本発明をこれらに限定する趣旨ではない。
［１．１］  機械的構成
図１は、実施形態にかかるステーションおよび電子時計の構成を示す平面図である。この図に示すように、電子時計２００は、充電やデータ転送など行う場合、ステーション１００の凹部１０１に収容される。この凹部１０１は、電子時計２００の本体２０１およびバンド２０２よりも若干大きめな形状に形成されているため、時計本体２０１は、ステーション１００に対して位置決めされた状態で収容される。
また、ステーション１００には、充電の開始を指示するための充電開始ボタン１０３1や、データ転送の開始を指示するための転送開始ボタン１０３2などの各種入力部とともに、各種の表示を行うための表示部１０４が設けられている。なお、本実施形態にかかる電子時計２００は、通常の使用状態ではユーザの腕に装着されて、表示部２０４において日付時刻等を表示するのは言うまでもないが、図示しないセンサ等によって、脈拍数や心拍数などの生体情報を一定時間毎に検出・記憶する構成となっている。
図２は、図１におけるＡ−Ａ線の断面図である。この図に示すように、電子時計の本体２０１の下面裏蓋２１２には、データ転送や充電のための時計側コイル２１０がカバーガラス２１１を介して設けられている。また、時計本体２０１には、二次電池２２０や、時計側コイル２１０などと接続される回路基板２２１が設けられる。
一方、ステーション１００の凹部１０１にあって、時計側コイル２１０と対向する位置には、ステーション側コイル１１０がカバーガラス１１１を介して設けられている。また、ステーション１００には、コイル１１０、充電開始ボタン１０３1、転送開始ボタン１０３2、表示部１０４、一次電源（図示省略）などと接続された回路基板１２１が設けられている。
このように、電子時計２００がステーション１００に収容された状態において、ステーション側コイル１１０と時計側コイル２１０とは、カバーガラス１１１、２１１により物理的には非接触であるが、コイル巻回面が略平行なので電磁的には結合した状態となる。
また、ステーション側コイル１１０および時計側コイル２１０とは、それぞれ時計機構部分の着磁を避ける理由や、時計側の重量増加を避ける理由、磁性金属の露出を避ける理由などにより、磁心を有さない空心型となっている。したがって、このようなことが問題とならない電子機器に適用する場合には、磁心を有するコイルを採用しても良い。もっとも、コイルに与える信号周波数が十分に高いのであれば、空心型で十分である。
［１．２］  電気的構成
次に、ステーション１００および電子時計２００の電気的構成について説明する。
［１．２．１］  ステーション
まず、ステーション１００側の構成について図３を参照して説明する。この図に示すように、ステーション側コイル１１０の一方の端子は、電源電圧Ｖｃｃにプルアップされる一方、その他方の端子Ｄは、トランジスタ１５３のドレインに接続される。ここで、トランジスタ１５３のゲートは、一方の入力端にクロック信号ＣＬＫの供給を受けるアンドゲート１５２の出力と接続される一方、トランジスタ１５３のソースは接地されている。
ここで、クロック信号ＣＬＫは、各部の動作を同期させるための信号であり、発振回路１４０により生成されるものである。
さて、充電開始ボタン１０３1および転送開始ボタン１０３2は、ユーザによって押下されると、それぞれ１ショットのパルス信号を出力するものである。ここで、両ボタンによって出力されるパルス信号を、説明の便宜上、総称してＳＴＲとするが、いずれかのボタンが押下されたのかを区別するため、充電開始ボタン１０３1が押下された場合には、パルス信号ＣＳが出力されるものとする。
次に、タイマＡ１４１は、パルス信号ＳＴＲの供給を受けると、プリセット値ｍをクロック信号ＣＬＫでダウンカウントして、カウント動作中には、Ｈレベルとなる信号ａを出力するものである。ここで、プリセット値ｍは、信号ａのＨレベル期間が、例えば１０時間となるような値に設定されている。すなわち、タイマＡ１４１は、ユーザによって充電開始ボタン１０３1あるいは転送開始ボタン１０３2が押下されてから１０時間だけＨレベルとなる信号ａを出力するように構成されている。そして、この信号ａは、反転回路１４３によりレベル反転されて、オアゲート１５７の第２入力端と処理回路１３０とに供給されている。
また、タイマＢ１４２は、パルス信号ＳＴＲの供給を受けると、プリセット値ｎをクロック信号ＣＬＫでダウンカウントして、カウント動作中には、Ｈレベルとなる信号ｂを出力するものである。ここで、プリセット値ｎは、ｍよりも十分に小さく設定されており、信号ｂのＨレベル期間が、例えば３０分となるような値に設定されている。すなわち、タイマＢ１４２は、ユーザによって充電開始ボタン１０３1あるいは転送開始ボタン１０３2の一方が押下されてから、３０分だけＨレベルとなる信号ｂを出力するように構成されている。
ここで、タイマＡ１４１による設定時間は、フル充電状態に相当する容量まで充電するのに十分な時間であって、充電開始ボタン１０３1あるいは転送開始ボタン１０３2が押下された後に、何らかの理由によって、後述するコマンドcom3が電子時計２００から送出されない場合でも、充電を終了させる目的で設定されるものである。
また、タイマＢ１４２による設定時間は、電池容量がゼロの状態からデータ転送可能状態（システム起動状態）となるまで充電するのに要する時間であって、▲１▼電子時計２００がステーション１００に収容されているが、電池容量が十分でないため、データ転送可能な状態にない場合である、あるいは、▲２▼電子時計２００がステーション１００に収容されていない場合である、のかを判別するのを目的として設定されるものである。
次に、コマンド検出器１６０は、パルス信号ＳＴＲの供給を受けた後に、信号ｂがＨレベルとなる３０分の一定期間において、電子時計２００側から後述するコマンドcom1〜com3を受信していない場合にＨレベルとなる信号ｄを出力するものである。そして、この信号ｄは、オアゲート１５７の第１入力端と処理回路１３０とに供給されている。なお、このコマンド検出器１６０の詳細構成については後述する。
ところで、充電・転送切換器１７０は、パルス信号ＳＴＲの供給を受けた後、信号ＯＦＦがＬレベルである期間において、図４（ａ）に示されるような第１充電信号をパルス信号ｅとして出力する一方、充電開始ボタン１０３1が押下されることによりパルス信号ＣＳの供給を受けて、かつ、電子時計２００側から後述するコマンドcom1を受信すると、図４（ｂ）に示されるように、デューティ比を大きくした第２充電信号を信号ｅとして出力するものである。
ただし、充電・転送切換器１７０は、信号ＯＦＦがＨレベルに遷移すると、信号ｅをＬレベルに保持させる。
この充電・転送切換器１７０によって、トランジスタ１５３は、パルス信号ＳＴＲの供給を受けた後、信号ｅがＨレベルである期間において、クロック信号ＣＬＫのレベルに応じてドレイン−ソース間をスイッチングさせる構成となっている。このため、ステーション側コイル１１０には、電源電圧Ｖｃｃをクロック信号ＣＬＫでスイッチングしたパルス信号が印加されるので、外部磁界が発生して、電子時計２００を充電するようになっている。
一方、信号ｅがＬレベル期間においては、アンドゲート１５２が閉じるので、ステーション側コイル１１０には、電源電圧Ｖｃｃでプルアップされた状態となる。この状態において、時計側コイル２１０により外部磁界が発生すると、ステーション側コイル１１０の端子Ｄには、信号Ｓ２が誘起されることとなる。この信号Ｓ２は、受信回路１５４に供給される。受信回路１５４は、信号Ｓ２についてクロック信号ＣＬＫを用いて復調するものであり、その詳細構成については、後述する。次に、デコーダ１５５は、信号ｅがＬレベルである期間において、受信回路１５４による復調結果をデコードするものである。
したがって、信号ｅがＨレベルである期間においては電子時計２００の充電が行われる一方、信号ｅがＬレベルである期間においてはデータ転送が行われることとなる。このため、充電・転送切換器１７０は、信号ｅのレベルによって、充電とデータ転送とを切り換える意義を有することになる。
さて、電子時計２００からの信号は、後述するコマンドcom1〜com3のほか、脈拍数や心拍数などの生体情報（データ）などであり、デコーダ１５５は、生体情報については、処理回路１３０に供給する一方、各コマンドcom1〜com3を受信したことを、その出力信号com1〜com3をＨレベルとすることで各部に通知する。オアゲート１５６は、各信号com1〜com3の論理和を信号ｃとして出力するものである。このため、信号ｃは、電子時計２００からコマンドcom1〜com3のいずれかを受信している状態を示す信号としての意義を有する。
ここで、デコード結果がコマンドcom1であることを示す信号com1は、充電・転送切換器１７０に供給されている。
また、デコード結果がコマンドcom2であることを示す信号com2は、ラッチ回路１５８を介して処理回路１３０に供給されている。
さらに、デコード結果がコマンドcom3であることを示す信号com3は、オアゲート１５７の第３入力端に供給されている。そして、オアゲート１５７による論理和が信号ＯＦＦとして充電・転送切換器１７０に供給される。
ここで、オアゲート１５７の第１〜第３入力端に供給される信号は、第１に、コマンド検出器１６０による信号ｄと、第２に、タイマＡ１４１の信号ａをレベル反転した信号と、第３に、デコード結果がコマンドcom3であることを示す信号com3とであるから、充電・転送切換器１７０は、次のいずれかに該当する場合に信号ｅの出力を終了するように構成されている。
すなわち、充電・転送切換器１７０が信号ｅをＬレベルに保持して、充電を終了させる場合とは、▲１▼充電開始ボタン１０３1あるいは転送開始ボタン１０３2の押下によって信号ＳＴＲが出力されてから３０分の期間が経過するまで、電子時計２００側からコマンドcom1〜com3を受信しない場合と、▲２▼充電が開始されてから１０時間経過した場合と、▲３▼電子時計２００から受信した信号がコマンドcom3である場合と、である。
なお、処理回路１３０は、入力された信号や、デコードされた生体情報などの各種表示を表示部１０４に実行させるためのものである。
［１．２．１．１］  コマンド検出器
次に、コマンド検出器１６０の構成について図５を参照して説明する。
まず、アンドゲート１６０１は信号ｂおよび信号ｃの論理積を出力する。次に、ノアゲート１６０３および１６０４からなるＲＳフリップフロップは、アンドゲート１６０１の論理積をＲ信号として入力するとともに、信号ＳＴＲをＳ信号として入力する。インバータ回路１６０５は、ノアゲート１６０４の出力を反転して信号Ｕ１として、Ｄフリップフロップ１６０６の入力端Ｄに供給する。このＤフリップフロップ１６０６は、信号ＳＴＲでリセットするとともに、信号ｂの立ち下がりにおいて、その直前での入力端Ｄのレベルを信号ｄとして出力するものである。
さて、ユーザによって、充電開始ボタン１０３1あるいは転送開始ボタン１０３2が押下されると、１ショットのパルス信号ＳＴＲが、例えば、図６（ａ）に示されるように出力される。この信号ＳＴＲにより、ノアゲート１６０４の出力はＬレベルとなるため、信号Ｕ１はＨレベルとなる一方、タイマＢ１４２（図３参照）がカウント動作を実行するため、図６（ａ）に示されるように、信号ｂが一定期間だけＨレベルとなる。
ここで、図３におけるデコーダ１５５が電子時計２００からコマンドcom1〜com3を受信する場合、これらのコマンドは、信号ｅがＬレベルの期間においてパルス的に出力される。
このような場合において、信号ｂおよび信号ｃがともにＨレベルとなって、その論理積がＨレベルとなると、ノアゲート１６０４の出力はＨレベルとなるから、信号Ｕ１はＬレベルに遷移し、以降、この状態が保持される。したがって、１ショットのパルス信号ＳＴＲが出力されてから一定時間経過して信号ｂが立ち下がった時点（正確にはその直前）において、Ｄフリップフロップ１６０６の出力端Ｑから出力される信号ｄは、Ｌレベルのままとなる。
一方、デコーダ１５５が電子時計２００からコマンドcom1〜com3を受信しない場合、信号ｃは、図６（ｂ）に示されるようにＬレベルのままとなる。このため、信号Ｕ１はＨレベルに保持されるので、信号ＳＴＲが出力されてから一定時間経過して信号ｂが立ち下がった時点において、Ｄフリップフロップ１６０６の出力端Ｑから出力される信号ｄは、Ｈレベルに遷移する。
このように、コマンド検出器１６０は、パルス信号ＳＴＲの供給を受けてから３０分経過するまでの一定期間において、電子時計２００側から少なくともコマンドcom1〜com3を受信すれば、期間経過後に信号ｄをＬレベルに保持する一方、いずれのコマンドも受信しなければ、一定期間経過後も信号ｄをＨレベルに保つように構成されている。
［１．２．２］  受信回路
次に、受信回路１５４の構成について図７を参照して説明する。なお、図示の構成はあくまでも一例であって、本来的に、データ転送における変調方式によって定められるものである。
まず、ステーション側コイル１１０における他方の端子Ｄに誘起された信号Ｓ２は、図７に示されるように、インバータ回路１５４１によってレベル反転されるとともに波形整形されて、発振回路１４０（図３参照）のクロック信号ＣＬＫと同期するＤフリップフロップ１５４２、１５４３のリセット信号ＲＳＴとして供給される。ここで、Ｄフリップフロップ１５４２の入力端Ｄは、電源電圧Ｖｃｃに接続される一方、その出力端Ｑは、次段のＤフリップフロップ１５４３の入力端Ｄに接続される。そして、Ｄフリップフロップ１５４３の出力端Ｑが、復調結果たる信号Ｓ３として出力される構成となっている。
次に、上記構成の受信回路１５４における各部の波形について検討してみる。
電子時計２００からのデータ受信時にあっては、トランジスタ１５３（図３参照）がスイッチングしないので、プルアップされたステーション側コイル１１０における他方の端子Ｄは、時計側コイル２１０による外部磁界が発生していなければプルアップレベルとなる一方、外部磁界が発生していれば、それに応じて誘起されるレベルにて変動する。このため、端子Ｄに誘起される信号Ｓ２は、例えば、図８（ａ）に示される通りとなる。
このような信号Ｓ２に対して、インバータ回路１５４１の出力たる信号ＲＳＴは、図８（ｂ）に示されるように、信号Ｓ２の電圧がしきい値Ｖｔｈを下回ったときにＨレベルとなり、Ｄフリップフロップ１５４２、１５４３をリセットする。この際、Ｄフリップフロップ１５４２、１５４３は、クロック信号ＣＬＫの立ち上がりにおいて、その直前での入力端Ｄのレベルを出力するから、Ｄフリップフロップ１５４２の出力Ｑ１、および、Ｄフリップフロップ１５４２の出力Ｓ３は、それぞれ図８（ｄ）、（ｅ）に示されるようになる。すなわち、受信回路１５４の出力信号Ｓ３は、時計側コイル２１０によって外部磁界が発生している期間にＬレベルとなる信号となる。
ここで、時計側コイル２１０によって外部磁界が発生する期間とは、後述するように、電子時計２００からステーション１００へ転送されるデータがＬレベルとなる期間であるから、結局、信号Ｓ３は、電子時計２００からのデータやコマンドを復調したものであることが判る。
［１．３］  電子時計
次に、電子時計２００の電気的構成について説明する。図９は、その構成を示すブロック図である。
この図に示されるように、時計側コイル２１０の一方の端子Ｐは、ダイオード２４５を介して二次電池２２０の正側端子に接続される一方、コイル２１０の他方の端子は、二次電池２２０の負側端子に接続されている。このため、ステーション側コイル１１０（図３参照）にパルス信号が印加されて、外部磁界が発生すると、その外部磁界により時計側コイル２１０の一方の端子Ｐに信号が誘起されるそして、この誘起信号は、トランジスタ２５３がオフのときにダイオード２４５によって整流されて二次電池２２０に充電される構成となっている。ここで、二次電池２２０の電圧Ｖｃｃが、電子時計２００における各部の電源として用いられる構成となっている。
次に、充電期間検出回路２６１は、端子Ｐに外部磁界による信号が誘起されているか否かを検出するものであり、図１０（ａ）に示されるように端子Ｐで信号が誘起されている場合には、同図（ｂ）に示されるようにＨレベルとなる信号ＣＨＲを出力する。また、タイミング作成回路２７１は、一定幅を有するパルスを一定間隔毎に生成して、アンドゲート２７２の一方の入力端に供給するものである。アンドゲート２７２の他方の入力端には、充電期間検出回路２６１による信号ＣＨＲが供給されているため、アンドゲート２７２は、端子Ｐに外部磁界による信号が誘起されている場合に開くことになる。したがって、アンドゲート２７２の信号ＣＫＴは、図１０（ｃ）に示されるように、端子Ｐで信号が誘起されている場合に、一定幅を有するパルスが一定間隔毎に出力される形となる。
この信号ＣＫＴは、トランジスタ２５３のベースに供給されている。また、トランジスタ２５３のコレクタは抵抗２５４を介して端子Ｐに接続される一方、そのエミッタは接地されている。このため、トランジスタ２５３は、信号ＣＫＴがＨレベルの場合に、コレクタ−エミッタ間がオンするように構成されている。
ここで、トランジスタ２５３がオンになった場合、抵抗２５４による電圧降下によって端子Ｐの電位が時計側コイル２１０に流れる電流に応じて変動する。すなわち、時計側コイル２１０に流れる電流が大きいほど、端子Ｐの電位レベルは低下する。充電電流判定回路２６３は、端子Ｐの電位レベルと基準レベルとを比較して、時計側コイル２１０に流れる電流が基準レベルに対応するしきい値電流以上であれば、Ｈレベルとなる信号を出力するものである。ラッチ回路２６４は、充電電流判定回路２６３の出力信号を信号ＣＫＴの立ち下がりでラッチするもの、すなわち、トランジスタ２５３のオン期間において判別された充電電流の比較結果を出力するものである。
次に、アンドゲート２８１は、充電期間検出回路２６１の信号ＣＨＲと、ラッチ回路２６４のラッチ結果との論理積を求め、信号com1として出力するものである。
また、アンドゲート２８２は、充電期間検出回路２６１の信号ＣＨＲと、ラッチ回路２６４によるラッチ結果の反転結果との論理積を求め、信号com2として出力するものである。
さらに、電池電圧検出回路２６５は、信号ＣＫＴがＬレベルである期間（トランジスタ２５３がオフとなっている期間）における二次電池２２０の端子電圧を検出して、二次電池２２０が完全な充電状態（フル充電状態）となっているか否かを検出して、その検出結果が肯定的であれば、Ｈレベルとなる信号com3を出力するものである。
ここで、信号com1がＨレベルである場合とは、端子Ｐに信号が誘起されている場合であって、かつ、時計側コイル２１０に流れる電流がしきい値以上である場合であるから、ステーション側コイル１１０と、時計側コイル２１０とがお互いに正しい位置で対向している状態を意味している。
また、信号com2がＨレベルである場合とは、端子Ｐに信号が誘起されている場合であって、かつ、時計側コイル２１０に流れる電流がしきい値未満である場合であるから、ステーション側コイル１１０と、時計側コイル２１０とがお互いに正しい位置で対向していない、すなわち、位置ずれしている状態を意味する。
さらに、信号com3がＨレベルである場合とは、二次電池２２０がフル充電状態であって、これ以上充電する必要がない状態を意味する。
次に、制御回路２３０は、計時機能を備える一種の中央処理制御装置であり、主に、次の処理を実行するものである。すなわち、制御回路２３０は、第１に、通常では、入力部２０３（図１では図示省略）で設定されたモードに応じた表示（例えば、現在時刻表示など）を、表示部２０４に実行させる機能と、第２に、端子Ｐに信号が誘起されて信号ＣＨＲがＨレベルに遷移すると、各信号com1〜com3で示される状態を認識して、これらの各状態に対応するコマンドcom1〜com3を作成して、信号ＣＨＲがＬレベルに遷移したときに送出する機能と、第３に、コマンドcom1〜com3の送出後、ステーション１００へ送信すべきディジタルデータを出力する機能とを有する。ここで、制御回路２３０は、コマンドcom1〜com3やディジタルデータなどをＷ１として送信回路２５０に供給する。なお、ステーション１００へ送信すべきディジタルデータとしては、図示しないセンサ等により計測された脈拍数や心拍数などの生体情報などが想定される。
送信回路２５０は、ステーション１００へ送信すべきデータやコマンドなどをシリアル化するとともに、シリアルデータがＬレベルである期間において、一定周波数の信号をバーストしたスイッチング信号を出力するものである。送信回路２５０によるスイッチング信号は、抵抗２５１を介してトランジスタ２５２のベースに供給される。また、同トランジスタのエミッタは、二次電池２２０の正側端子に接続される一方、同トランジスタのコレクタは、コイル２１０の一方の端子Ｐに接続されている。
また、複数の周波数の駆動クロックを生成し、電子時計２００の各部に出力する駆動クロック生成回路２３５が設けられている。
したがって、このような電子時計２００にあっては、図１０（ａ）に示されるように端子Ｐに信号が誘起されると、同図（ｂ）に示されるように、信号が誘起されている期間に信号ＣＨＲはＨレベルとなるとともに、同図（ｃ）に示されるように、信号ＣＫＴが出力される。そして、同図（ｄ）に示されるように、端子Ｐに信号が誘起されている場合であって、信号ＣＫＴがＬレベルである場合に、二次電池２２０の充電が行われる一方、同図（ｅ）に示されるように、端子Ｐに信号が誘起されている場合であって、信号ＣＫＴがＨレベルである場合に、トランジスタ２５３がオンして、二次電池２２０への充電電流がチェックされる。さらに、同図（ｆ）に示されるように、端子Ｐに信号が誘起されずに、信号ＣＨＲがＬレベルとなる場合に、コマンドcom1〜com3やディジタルデータなどが転送されるようになっている。
［１．４］  コマンドやディジタルデータの転送動作
次に、ステーション１００および電子時計２００におけるコマンドやディジタルデータの転送の動作について説明する。上述したように、電子時計２００の充電動作は、信号ｅがＨレベルである期間において行われるが、転送動作は、信号ｅがＬレベルである期間において行われる。
まず、信号ｅがＬレベルである期間においては、ステーション側コイル１１０には、パルス信号が印加されない。このため、ステーション側コイル１１０による外部磁界が発生しないから、時計側コイル２１０の端子Ｐには信号が誘起されないため、信号ＣＨＲはＬレベルとなる。信号ＣＨＲがＬレベルとなると、制御回路２３０は、コマンドcom1〜com3の送出に続き、ステーション１００へ送信すべきデータを送信回路２５０に供給するため、電子時計２００からステーション１００への信号送信が開始されることになる。
ここで、送信回路２５０は、ステーション１００への送信すべきデータがＨレベルであれば、出力をＨレベルとし、データがＬレベルであれば一定周波数のパルス信号をバーストさせたものとするから、トランジスタ２５２は、送信すべきデータがＬレベルである期間において、スイッチングすることとなる。
したがって、時計側コイル２１０には、ステーション１００への送信すべきデータがＬレベルである期間において、パルス信号が印加されることとなり、これによって外部磁界が発生することとなる。
この外部磁界によって、ステーション側コイル１１０の端子Ｄに、当該パルス信号と同周期の信号が誘起されることとなる。ここで、信号が誘起されている期間では、上記構成の受信回路１５４によって信号Ｓ３がＬレベルとなり、それ以外は、Ｈレベルであるから、結局、ステーション１００側では、電子時計２００からのディジタルデータＷ１を復調した信号Ｓ３が得られることとなる。そして、デコーダ１５５は、信号Ｓ３をデコードして、その結果が生体情報等のディジタルデータであれば、処理回路１３０に供給する一方、コマンドcom1〜com3であれば、それに対応した信号com1〜com3を出力する。
このように、ステーション１００は、電子時計２００からのコマンドやディジタルデータを得ることができるようになっている。
［１．５］  充電・データ転送の動作
次に、ステーション１００および電子時計２００の充電・データ転送の動作について、図３および図９のブロック図とともに、図１１および図１２のフローチャートを参照して説明する。
まず、ユーザは、電子時計２００をステーション１００の凹部１０１に収容させる。これにより、ステーション側コイル１１０と時計側コイル２１０とは、図２に示されるように互いに対向するため、電磁的に結合した状態となる。
この後、ユーザによって充電開始ボタン１０３1あるいは転送開始ボタン１０３2が押下されると、パルス信号ＳＴＲによって、タイマＡ１４１およびタイマＢ１４２がカウント動作を開始する（ステップＳ１０１）。また、パルス信号ＳＴＲによって、充電・転送切換器１７０は、図４（ａ）に示されるような第１充電信号を信号ｅとして出力する（ステップＳ１０２）。
次に、タイマＡ１４１がカウント動作を終了したか否かが、信号ａの反転信号によって判別される（ステップＳ１０３）。カウント動作が終了していれば、それは、充電開始ボタン１０３1あるいは転送開始ボタン１０３2が押下されてから１０時間以上経過したことを意味する。
上述したように、タイマＡ１４１による設定時間は、二次電池２２０をフル充電状態に相当する容量まで充電するのに十分な時間であるから、この設定時間を経過する前に、通常では、フル充電である旨を示すコマンドcom3の受信によって充電が終了するはずである。にもかかわらず、タイマＡ１４１による設定時間が経過したことは、二次電池２２０の故障などのような異常が発生していることを意味する。
このため、処理回路１３０は、例えば、図１３（ｃ）に示されるような表示を表示部１０４に対して行わせて、その旨をユーザに告知する（ステップＳ１０４）。また、信号ａの反転信号により信号ＯＦＦがＨレベルとなるので、充電・転送切換器１７０は、信号ｅをＬレベルに保持する。このため、異常が発生している場合において、電子時計２００の充電は終了することになる。
一方、タイマＡ１４１がカウント動作を終了していなければ、充電・転送切換器１７０は信号ｅを引き続き出力する。この結果、ステーション側コイル１１０は、信号ｅがＨレベルの期間に、トランジスタ１５３によるスイッチングによって外部磁界を発生させる一方、信号ｅがＬレベルの期間において、電子時計２００からのコマンドを受信すべく待機状態となる。
さて、この外部磁界が発生すると、電子時計２００側においては、端子Ｐに信号が誘起される。ただし、現時点において二次電池２２０の電池残量がなければ（ステップＳ２０１のＮｏ）、各部が動作しないため、以降のステップＳ２０１〜Ｓ２０８が実行不可能となり、ステーション１００側へはコマンドが送出されない。
一方、現時点において電池残量があれば（ステップＳ２０１のＹｅｓ）、信号ＣＫＴがＨレベルである期間、すなわち、トランジスタ２５３がオンする期間に、コレクタ電位の電圧降下に基づいて誘起信号による充電電流が検出されるとともに（ステップＳ２０２）、充電電流判定回路２６３によってしきい値以上であるか否かが判定される（ステップＳ２０３）。
ここで、充電電流がしきい値未満であれば、信号com2がＨレベルである場合に相当するから、上述したように、ステーション側コイル１１０と時計側コイル２１０とが位置ずれしている状態である。そこで、制御回路２３０は、表示部２０４にその旨を表示するとともに（ステップＳ２０４）、この状態をステーション１００に通知すべく、コマンドcom2を送出する（ステップＳ２０５）。
一方、充電電流がしきい値以上であれば、二次電池２２０がフル充電状態であるか否かが、電池電圧検出回路２６５によって判別される（ステップＳ２０６）。
ここで、フル充電状態であれば、信号com3がＨレベルである場合に相当するから、上述したように、これ以上充電する必要がない状態である。そこで、制御回路２３０は、この状態をステーション１００に通知すべく、コマンドcom3を送出する（ステップＳ２０７）。
また、フル充電状態でなければ、信号com1がＨレベルである場合に相当するから、上述したように、ステーション側コイル１１０と時計側コイル２１０とがお互いに正しい位置で対向している状態であり、充電が良好に進行している状態である。そこで、制御回路２３０は、この状態をステーション１００に通知すべく、コマンドcom1を送出する（ステップＳ２０８）。
なお、コマンドcom1〜com3の送出は、端子Ｐに信号が誘起されていない期間に、すなわち、ステーション１００側にあっては信号ｅがＬレベルである１０秒間の期間に、電子時計２００側にあっては信号ＣＨＲがＬレベルである期間に、実行される。
このように、電子時計２００側において、端子Ｐに信号が誘起されると、充電電流の大小や、二次電池２２０の充電状態が判別されて、これらの状態に対応するコマンドcom1〜com3がステーション１００に送出される。
ところで、ステーション１００は、第１充電信号にしたがった充電を、少なくともタイマＢ１４２の動作期間である３０分の期間実行する。このため、二次電池２２０が当初、データ転送可能状態になくて、コマンドcom1〜com3が電子時計２００から送出されなくても、３０分充電される結果、データ転送となる容量までは充電されることになる。
すなわち、電子時計２００が、ステーション１００に収容されて、充電開始ボタン１０３1あるいは転送開始ボタン１０３2が押下されて３０分経過した後には、二次電池２２０はデータ転送可能状態になるから、コマンドcom1〜com3のいずれかが送出される構成となっている。
したがって、ステーション１００へコマンドが全く送出されない場合とは、電子時計２００がステーション１００に収容されていない場合である。
一方、待機状態となったステーション１００において、電子時計２００からコマンドcom1〜com3のいずれかが受信されたか否かが判別される（ステップＳ１１１）。ここで、コマンドcom1〜com3のいずれも受信されない場合、タイマＢ１４２がカウント動作を終了したか否かが判別される（ステップＳ１１２）。具体的には、信号ｂがＨレベルである期間において、信号ｃがＨレベルとなったか否かがコマンド検出器１６０によりチェックされる。
さて、タイマＢ１４２がカウント動作を終了しても、なんらコマンドcom1〜com3を受信しない場合とは、上述のように、電子時計２００がステーション１００に収容されていない場合であり、コマンド検出器１６０による信号ｄがＨレベルとなる場合である。
したがって、信号ｄがＨレベルに遷移したことによって、処理回路１３０は、例えば、図１３（ｂ）に示されるような警告表示を表示部１０４に対して行わせて（ステップＳ１１３）、ユーザにその旨を告知する。
また、信号ｄにより信号ＯＦＦがＨレベルとなるので、充電・転送切換器１７０は信号ｅをＬレベルに保持する。このため、電子時計２００がステーション１１０に収容されていない場合の無用な充電動作は終了することになる。
一方、タイマＢ１４２がカウント動作を終了していなければ、引き続き、充電を実行すべく、処理手順がステップＳ１０２に戻って、信号ｅの送出が継続される。そして、なんらかのコマンドが電子時計２００から送出されるまで、あるいは、タイマＢ１４２によるカウント動作が終了するまで、ステップＳ１１１およびステップＳ１１２における判別が繰返し実行されるようになっている。これによって、▲１▼あるいは▲２▼の場合、すなわち、▲１▼電子時計２００がステーション１００に収容されているが、電池容量が十分でないため、データ転送可能な状態にない場合である、あるいは、▲２▼電子時計２００がステーション１００に収容されていない場合である、のかを実質的に判別することが可能となるのである。
さて、待機状態となったステーション１００において、電子時計２００から何らかのコマンドが受信された場合、その受信コマンドがデコーダ１５５によりデコードされる（ステップＳ１１４）。
ここで、受信コマンドがcom1であれば、はじめに押下されたボタンが充電開始ボタン１０３1であったのか否かが判別される（ステップＳ１１５）。詳細には、信号com1の供給を受けた充電・転送切換器１７０が、以前に信号ＣＳの供給を受けたか否かを判別する。この判別結果が肯定的であれば、充電・転送切換器１７０は、送出する信号ｅを、図４（ａ）に示される第１充電信号から同図（ｂ）に示される第２充電信号へと切り替える（ステップＳ１１６）。そして、引き続き、充電を継続すべく、処理手順がステップＳ１０３に戻る。
上述のように、充電は信号ｅのＨレベル期間で行われる一方、データ転送は信号ｅのＬレベル期間で行われる。また、第２充電信号としての信号ｅがＨレベルとなる期間は、第１充電信号のそれよりも比べて長期化している。よって、ステーション側コイル１１０と時計側コイル２１０とがお互いに正しい位置で対向している状態において、充電開始が指示された場合には、充電状態をチェックするためのコマンドを受信する頻度が低下する一方、充電するための期間が長期化するため、電子時計２００の充電効率が向上することとなる。
一方、受信コマンドがcom1であって、はじめに押下されたボタンが転送開始ボタン１０３2であれば、後述するステップＳ１２１〜Ｓ１２３のデータ転送が実行される。
また、受信コマンドがcom3であれば、はじめに押下されたボタンが充電開始ボタン１０３1であったのか否かが判別される（ステップＳ１１７）。詳細には、信号com3により信号ＯＦＦの供給を受けた充電・転送切換器１７０が、以前に信号ＣＳの供給を受けたか否かを判別する。この判別結果が肯定的であれば、以降、二次電池２２０を充電する必要がないので、充電・転送切換器１７０は、信号ｅをＬレベルに保持する。これにより、不要な充電動作は終了することになる。
一方、受信コマンドがcom3であって、はじめに押下されたボタンが転送開始ボタン１０３2であれば、後述するステップＳ１２１〜Ｓ１２３のデータ転送が実行される。
さらに、受信コマンドがcom2であれば、それは、ステーション側コイル１１０と時計側コイル２１０とが位置ずれしている状態である。このため、信号com2の供給を受けた処理回路１３０は、例えば、図１３（ａ）に示されるような警告表示を表示部１０４に対して行わせて（ステップＳ１１８）、ユーザにその旨を告知する。
そして、はじめに押下されたボタンが充電開始ボタン１０３1であったのか否かが判別される（ステップＳ１１９）。詳細には、充電・転送切換器１７０が、以前に信号ＣＳの供給を受けたか否かを判別する。ただし、転送開始ボタン１０３2が押下された場合であっても、充電については信号ｅがＨレベルの期間において、また、データ転送については信号ｅがＬレベル期間において、それぞれ実行すれば良いので、充電・転送切換器１７０が信号ｅを切り換えたり、Ｌレベルに保持する必要はない。すなわち、コマンドcom2が受信されても、充電・転送切換器１７０は、以前に信号ＣＳの供給を受けたか否かについては、実質的には判断しない。
ここで、はじめに押下されたボタンが充電開始ボタン１０３1であれば、この状態では不十分な電流で充電が行われるが、充電そのものは実行可能であるから、引き続き、第１充電信号で充電を継続すべく、処理手順がステップＳ１０２に戻る。
一方、受信コマンドがcom2であっても、データ転送は可能であるから、はじめに押下されたボタンが転送開始ボタン１０３2であれば、次のステップＳ１２１〜Ｓ１２３のデータ転送が実行される。
すなわち、コマンドcom1〜com3に続いて送出されたディジタルデータは、受信回路１５４によって受信され、デコーダ１５５によってデコードされて、処理回路１３０に転送されて（ステップＳ１２１）、終了するまで繰り返される（ステップＳ１２２）。そして、この転送が完了すると、処理回路１３０は、例えば、図１３（ｄ）に示されるような表示を表示部１０４に対して行わせるとともに（ステップＳ１２２）、受信したディジタルデータに基づく表示を表示部１０４に行わせる。
この後、処理回路１３０は、図３では示されないラインによって、充電・転送切換器１３０に対して信号ｅの供給を停止させて、充電・データ転送を終了させる。なお、処理手順を、ステップＳ１０２に戻して、引き続き、充電を行う構成でも良い。
このようなステーション１００によれば、充電開始ボタン１０３1あるいは転送開始ボタン１０３2が押下されると、図１４（ａ）に示されるように、パルス信号ＳＴＲが出力される。
この後、ステーション側コイル１１０と時計側コイル２１０との位置ずれにより、同図（ｂ）に示されるようにコマンドcom2が受信されると、信号com2のラッチ期間において、図１３（ａ）に示される警告表示が表示部１０４で行われる。また、二次電池２２０がフル充電状態となり、コマンドcom3が受信されると、以降、信号ｅがＬレベルとなるため、充電動作が終了することとなる。
一方、同図（ｃ）に示されるように、パルス信号ＳＴＲが出力された後において、信号ｂが立ち下がるまでに、すなわち、タイマＢ１４２がカウント動作を終了するまでに、なんらコマンドが受信されない場合、コマンド検出器１６０は、信号ｄをＨレベルにするから、図１３（ｂ）に示される警告表示が表示部１０４で行われるとともに、信号ｅがＬレベルになって、充電動作が終了することとなる。
さらに、同図（ｄ）に示されるように、パルス信号ＳＴＲが出力された後において、信号ａが立ち下がるまでに、すなわち、タイマＡ１４１がカウント動作を終了するまで、コマンドcom3以外の、コマンドcom1あるいはcom2が受信されるだけであれば、図１３（ｃ）に示される表示が表示部１０４で行われるとともに、信号ＯＦＦがＨレベルとなるから、信号ｅがＬレベルになって、充電動作が終了することとなる。
［１．６］  第１実施形態の効果
このように、本第１実施形態にあっては、ステーション側コイル１１０と時計側コイル２１０とが正しく対向しておらず、位置ずれしている場合には、それが検出されるとともに、その旨の警告が図１３（ａ）に示されるように表示される。
また、ステーション側コイル１１０と時計側コイル２１０とがお互いに正しい位置で対向している状態においては、充電状態をチェックするためのコマンドを受信する頻度が低下する一方、充電するための期間が長期化するため、電子時計２００の充電効率が向上することとなる。
一方、電子時計２００がステーション１００に収容されていないにもかかわらず、充電開始あるいはデータ転送が指示された場合には、それが検出されるとともに、その旨の警告が図１３（ｂ）に示されるように表示され、充電が終了されるので、無用な電力消費が防止されることとなる。
したがって、本第１実施形態によれば、ステーション側コイル１１０と時計側コイル２１０との位置ずれや、電子時計２００がステーション１００に収容されていないことを、非接触で検出することが可能となり、さらに充電やデータ転送制御を行うことが可能となる。
さらに、本第１実施形態では、データ転送前に外部磁界を発生させることによって電子時計２００の二次電池２２０を一定期間充電した後、データ転送を実行するので、電子時計２００が、二次電池２２０の電圧低下を理由にデータ転送できない事態を防止することができる。
［１．７］  第１実施形態の変形例
なお、上記第１実施形態にあっては、次のような変形が可能である。
［１．７．１］  第１変形例
上記第１実施形態におけるデータ転送は、電子時計２００からステーション１００への一方向のみであったが、ステーション１００から電子時計２００への方向であっても良いのはもちろんである。電子時計２００へデータ転送する場合、ステーション１００では、転送すべきデータに応じて変調する一方、電子時計２００では、その変調方式に合わせて復調する構成とすれば良い。この際、変調・復調は、公知の技術を適用すれば良い。
［１．７．２］  第２変形例
上記第１実施形態にあっては、位置ずれや電子時計の不存在をステーション１００側に設けられた表示部１０４により行わせていたが、電子時計２００側の表示部２０４に行わせても良いのはもちろんである。また、表示部による文字表示だけでなく、ＬＥＤ等による点灯・点滅であっても良い。さらに、視覚に訴えるものに限られず、音声やアラーム等のように聴覚に訴えるものでも良い。すなわち、本願でいう告知とは、人間の五感に訴えるものであれば足りる。
［１．７．３］  第３変形例
上記第１実施形態にあっては、位置ずれしていなければ充電期間を長期化させることで、充電及びデータ転送の実行配分を変化させていたが、データ転送期間を短縮化させる構成としても良いし、双方の実行期間を変化させる構成とすることも可能である。
さらに、電子時計２００で検出された充電電流の値そのものをステーション１００に転送して、充電電流値に応じて充電及びデータ転送の実行配分を無断階に制御しても良い。
さらにまた、上記第１実施形態においては、位置ずれしている場合に警告を行い、ステーションと電子時計とが正しく対向している場合に充電及びデータ転送の実行配分を変化させていたが、正しく対向している場合にその旨を告知する構成とし、位置ずれしている場合に充電及びデータ転送の実行配分を変化させる構成とすることも可能である。すなわち、本願でいう所定の関係とは、両コイルが位置ずれしている関係にある場合と正しく対向している関係にある場合との双方をいう。
［１．７．４］  第４変形例
上記第１実施形態においては、信号ｅがＬレベルとなると電子時計２００側が信号転送を行う構成としていたが、ステーション１００側が通信開始コマンドを電子時計２００側に送信した場合に、電子時計２００側は送信可能状態になったと認識して信号転送を行うように構成することも可能である。
これにより、充電動作と信号転送動作とを明確に区別することができ、充電動作中に信号転送を行いたい場合や、ステーション１００が外部ノイズを受信信号と誤認識して誤動作することもなくなる。
また、これとは逆に信号ｅがＬレベルとされた後に電子時計２００側が通信可能状態になった場合に通信開始コマンドをステーション１００側に送信し、その後、信号転送を行うように構成することも可能である。
これにより、通信可能な充電状態になった後等に確実に信号転送を開始することができる。
［１．７．５］  第５変形例
上記第１実施形態においては、電子時計２００の駆動クロック生成回路２３５の駆動クロック生成状態については説明しなかったが、信号転送時における駆動クロックの周波数を高くするように構成し、データ転送処理の高速性を確保するとともに、それ以外の通常動作時の消費電力を低減するように構成することも可能である。
［１．７．６］  第６変形例
上記第１実施形態では、第１の機器としてステーション１００、第２の機器あるいは相手方機器として電子時計２００を例にとって説明したが、本願ではこれらの区別は本質的に無意味であり、電力転送や信号転送を行うすべての電子機器に適用可能である。例えば、電動歯ブラシや、電動ひげ剃り、コードレス電話、携帯電話、パーソナルハンディフォン、モバイルパソコン、ＰＤＡ（Personal Digital Assistants：個人向情報端末）などの二次電池を備える被充電機器と、その充電機器とに適用可能である。
［２］  第２実施形態
上記第１実施形態においては、時計側コイル２１０を流れる電流（充電電流）を予め定めたしきい値と比較することにより、ステーション側コイル１１０と時計側コイル２１０との間の位置ずれを検出していたが、時計側コイル２１０に流れる電流は、図１５に示すように、二次電池２２０の電池電圧の上昇に伴い減少するので、条件によっては、電流の現象が位置ずれに起因するものであるのか、二次電池の電池電圧の上昇に起因するものであるのか判別がつかない場合が生じる。
そこで、本第２実施形態は、充電電流及び二次電池の電圧に基づいて位置ずれの有無をより正確に判別するための実施形態である。
［２．１］    電子時計の電気的構成
次に、第２実施形態の電子時計について、図１６を参照して説明する。
図１６において、図９の第１実施形態の電子時計と同様の部分には同一の符号を付し、その詳細な説明を省略する。
第２実施形態の電子時計２００Ａが第１実施形態の電子時計２００と異なる点は、充電電流判定回路２６３に代えて、検出電圧に対応するしきい値電流を予め記憶するしきい値テーブルを有し、時計側コイル２１０に流れる電流が検出された電池電圧に対するしきい値電流を越えているか否かを判別する充電電流判定回路２６３’と、充電電流判定回路２６３’に検出電圧信号ＶDETを出力する電池電圧検出回路２６５’と、検出電圧信号ＶDETに基づいて二次電池２２０がフル充電状態にあるか否かを判別してフル充電時に信号com3を“Ｈ”レベルとするフル充電検出回路２９０と、を備えた点である。
［２．２］  しきい値テーブル
ここで、しきい値テーブルについて図１５及び図１７を参照して説明する。図１５に示すように、例えば、二次電池２２０の電池電圧＝４［Ｖ］の場合の充電電流は１０［ｍＡ］であり、二次電池２２０の電池電圧＝２［Ｖ］の場合の充電電流は２５［ｍＡ］である。
同様にして、二次電池２２０の電池電圧に対する充電電流を測定し、テーブル化すると、図１７に示すようになる。
そして、このしきい値テーブルは、ＲＯＭ等の不揮発性メモリ、あるいは、ＥＥＰＲＯＭ等の書き換え可能な不揮発性メモリなどに書き込まれて記憶される。
［２．３］  充電・データ転送の動作
次に、ステーション１００および電子時計２００Ａの充電・データ転送の動作について、図３および図１６のブロック図とともに、図１８および図１２のフローチャートを参照して説明する。
まず、ユーザは、電子時計２００Ａをステーション１００の凹部１０１に収容させる。これにより、ステーション側コイル１１０と時計側コイル２１０とは、図２に示されるように互いに対向するため、電磁的に結合した状態となる。
この後、ユーザによって充電開始ボタン１０３1あるいは転送開始ボタン１０３2が押下されると、パルス信号ＳＴＲによって、タイマＡ１４１およびタイマＢ１４２がカウント動作を開始する（ステップＳ１０１）。また、パルス信号ＳＴＲによって、充電・転送切換器１７０は、図４（ａ）に示されるような第１充電信号を信号ｅとして出力する（ステップＳ１０２）。
次に、タイマＡ１４１がカウント動作を終了したか否かが、信号ａの反転信号によって判別される（ステップＳ１０３）。カウント動作が終了していれば、それは、充電開始ボタン１０３1あるいは転送開始ボタン１０３2が押下されてから１０時間以上経過したことを意味する。
上述したように、タイマＡ１４１による設定時間は、二次電池２２０をフル充電状態に相当する容量まで充電するのに十分な時間であるから、この設定時間を経過する前に、通常では、フル充電である旨を示すコマンドcom3の受信によって充電が終了するはずである。にもかかわらず、タイマＡ１４１による設定時間が経過したことは、二次電池２２０の故障などのような異常が発生していること意味する。
このため、処理回路１３０は、例えば、図１３（ｃ）に示されるような表示を表示部１０４に対して行わせて、その旨をユーザに告知する（ステップＳ１０４）。また、信号ａの反転信号により信号ＯＦＦがＨレベルとなるので、充電・転送切換器１７０は、信号ｅをＬレベルに保持する。このため、異常が発生している場合において、電子時計２００Ａの充電は終了することになる。
一方、タイマＡ１４１がカウント動作を終了していなければ、充電・転送切換器１７０は信号ｅを引き続き出力する。この結果、ステーション側コイル１１０は、信号ｅがＨレベルの期間に、トランジスタ１５３によるスイッチングによって外部磁界を発生させる一方、信号ｅがＬレベルの期間において、電子時計２００Ａからのコマンドを受信すべく待機状態となる。
さて、この外部磁界が発生すると、電子時計２００Ａ側においては、端子Ｐに信号が誘起される。ただし、現時点において二次電池２２０の電池残量がなければ（ステップＳ２０１のＮｏ）、各部が動作しないため、以降のステップＳ２０１〜Ｓ２０８が実行不可能となり、ステーション１００側へはコマンドが送出されない。
一方、現時点において電池残量があれば（ステップＳ２０１のＹｅｓ）、信号ＣＫＴがＨレベルである期間、すなわち、トランジスタ２５３がオンする期間に、端子Ｐの電位の電圧降下に基づいて誘起信号による充電電流が検出されるとともに（ステップＳ２０２）、電池電圧検出回路２６５’により二次電池２２０の電池電圧が検出され、検出した電池電圧に相当する検出電圧信号ＶDETが充電電流判定回路２６３’及びフル充電検出回路２９０に出力される（ステップＳ２０９）。
これにより充電電流判定回路２６３’は、しきい値テーブルを参照し、検出電圧信号ＶDETに対応するしきい値電流を求め、検出した充電電流が当該しきい値電流以上であるか否かを判別する（ステップＳ２０３）。
より具体的には、検出電圧信号ＶDETに対応する二次電池２２０の電圧が３．６［Ｖ］であった場合には、しきい値電流＝１２［ｍＡ］であるので、充電電流判定回路２６３’は、検出した充電電流が１２［ｍＡ］以上であるか否かを判別することとなる。
ここで、充電電流がしきい値未満であれば、信号com2がＨレベルである場合に相当するから、上述したように、ステーション側コイル１１０と時計側コイル２１０とが位置ずれしている状態である。そこで、制御回路２３０は、表示部２０４にその旨を表示するとともに（ステップＳ２０４）、この状態をステーション１００に通知すべく、コマンドcom2を送出する（ステップＳ２０５）。
より具体的には、図１９に示すように、検出した充電電流が８［ｍＡ］であった場合には、およそ１．５［ｍｍ］のずれがあることが検出される。
一方、充電電流がしきい値以上であれば、二次電池２２０がフル充電状態であるか否かが、検出電圧信号ＶDETに基づいてフル充電検出回路２９０によって判別される（ステップＳ２０６）。
ここで、フル充電状態であれば、信号com3がＨレベルである場合に相当するから、上述したように、これ以上充電する必要がない状態である。そこで、制御回路２３０は、この状態をステーション１００に通知すべく、コマンドcom3を送出する（ステップＳ２０７）。
また、フル充電状態でなければ、信号com1がＨレベルである場合に相当するから、上述したように、ステーション側コイル１１０と時計側コイル２１０とがお互いに正しい位置で対向している状態であり、充電が良好に進行している状態である。そこで、制御回路２３０は、この状態をステーション１００に通知すべく、コマンドcom1を送出する（ステップＳ２０８）。
なお、コマンドcom1〜com3の送出は、端子Ｐに信号が誘起されていない期間に、すなわち、ステーション１００側にあっては信号ｅがＬレベルである１０秒間の期間に、電子時計２００Ａ側にあっては信号ＣＨＲがＬレベルである期間に、実行される。
このように、電子時計２００Ａ側において、端子Ｐに信号が誘起されると、充電電流の大小や、二次電池２２０の充電状態が判別されて、これらの状態に対応するコマンドcom1〜com3がステーション１００に送出されることとなる。
このように、本第２実施形態にあっては、ステーション側コイル１１０と時計側コイル２１０とが正しく対向しておらず、位置ずれしている場合には、それが検出されるとともに、その旨の警告が表示される。
［２．４］  第２実施形態の効果
このように、本第２実施形態によれば、二次電池２２０の電圧の影響を受けることなく、第１実施形態と同様に、ステーション側コイル１１０と時計側コイル２１０とが正しく対向しておらず、位置ずれしている場合には、それが検出されるとともに、その旨の警告が表示される。
また、ステーション側コイル１１０と時計側コイル２１０とがお互いに正しい位置で対向している状態においては、充電状態をチェックするためのコマンドを受信する頻度が低下する一方、充電するための期間が長期化するため、電子時計２００Ａの充電効率が向上することとなる。
一方、電子時計２００Ａがステーション１００に収容されていないにもかかわらず、充電開始あるいはデータ転送が指示された場合には、それが検出されるとともに、その旨の警告が表示され、充電が終了されるので、無用な電力消費が防止されることとなる。
したがって、本第２実施形態によれば、ステーション側コイル１１０と時計側コイル２１０との位置ずれや、電子時計２００Ａがステーション１００に収容されていないことを、二次電池の電池電圧の影響を受けることなく、非接触で検出することが可能となり、さらに充電やデータ転送制御を行うことが可能となる。
［３］  第３実施形態
次に本発明の第３実施形態について説明する。
［３．１］  前提
はじめに、本第３実施形態における充電時間の決定について簡単に説明しておく。
まず、一般的な二次電池の充放電特性を図２９に示す。この図に示されるように、充電時における二次電池の端子電圧は、ほとんど一定である。さらに、充電時における二次電池の端子電圧は、上述したように真の値を示さない。
この点について図３１を参照して説明する。一般的に、二次電池は、内部抵抗Ｒeを有しているため、充電時においては、真の二次電池の電圧Ｅvdに対し、二次電池の内部抵抗Ｒeと充電電流Ｅiとの積の分が加算された電圧Ｅvcが検出されるからである。
ここで、二次電池を定電圧Ｅで充電する場合を考える。この場合、充電電流Ｅiは、次式のように表される。
Ｅi＝（Ｅ−Ｅvc）／Ｒ
なお、この式におけるＲは、定電圧充電に伴う抵抗分である。
次に、二次電池の充電が進行すると、二次電池の端子電圧ＥvcがＥに近づくため、充電電流Ｅiは徐々に小さくなる。このため、充電時から充電時に移行した場合における、内部抵抗Ｒeと充電電流Ｅiとの積で示される二次電池の電圧上昇分（充電時から放電時への移行に着目すると電圧降下分）も小さくなる。
したがって、この二次電池の電圧上昇分を検出することにより、二次電池に充電された容量を間接的に推定することが可能となる。ここで、二次電池の電圧上昇分を検出するには、充電を間欠的に実行するとともに、充電時における二次電池の電圧から、充電を中断されてから一定時間経過した場合における二次電池の電圧を減算した値から推定される。
一方、図２９において、二次電池の両端子に１ｋΩを接続することによって一定割合で放電させた場合について着目してみる。このように電池容量を減少させた場合に、二次電池の端子電圧が、図に示されるようにほぼ直線的に減少している。このことから、二次電池の容量は、放電時における端子電圧と対応していることが判る。
したがって、二次電池の容量Ｆは、その端子電圧ｖを引数とする関数Ｆ（ｖ）として表すことができる。
このため、関数Ｆ（ｖ）を予めテーブル化や数式化しておく一方、充電を間欠的に実行するとともに、中断時における端子電圧値Ｅvを関数Ｆ（Ｅv）に代入することによって、その時点における二次電池の容量を推定することが可能となる。
［３．２］  電子時計
次に、第３実施形態の電子時計２００Ｂの電気的構成について説明する。図２０は、その構成を示すブロック図である。図２０において、図９の第１実施形態と同様の部分には、同一の符号を付す。
この図に示されるように、時計側コイル２１０の一方の端子Ｐは、ダイオード２４５を介して二次電池２２０の正側端子に接続される一方、時計側コイル２１０の他方の端子は、二次電池２２０の負側端子に接続されている。このため、ステーション側コイル１１０（図３参照）にパルス信号が印加されて、外部磁界が発生すると、その外部磁界により時計側コイル２１０の一方の端子Ｐに信号が誘起される。そして、この誘起信号は、ダイオード２４５によって整流された後、二次電池２２０に充電される構成となっている。ここで、二次電池２２０の電圧Ｖｃｃが、電子時計２００Ｂにおける各部の電源として用いられる構成となっている。
充電期間検出回路２６１は、端子Ｐに外部磁界による信号が誘起されているか否かを検出するものである。ここで、図２１（ａ）に示されるように、タイミングＴ0以降一定間隔毎に、端子Ｐにおいて信号が誘起されると、同図（ｂ）に示されるようにＨレベルとなる信号ＣＨＲを出力する。また、電池電圧検出回路２８１は、二次電池２２０における両端子間の電圧値Ｅvを検出してディジタル値で出力するものである。
レジスタ２８２は、信号ＣＨＲの立ち下がりにおいて、電池電圧検出回路２８１により検出された電圧値Ｅvを一時的に記憶するものである。したがって、レジスタ２８２は、端子Ｐに信号が誘起されている期間、すなわち、充電期間における二次電池２２０の電圧値Ｅvcを記憶するように構成されている。
一方、レジスタ２８３は、信号ＣＨＲの立ち上がりにおいて、電池電圧検出回路２８１により検出された電圧値Ｅvを一時的に記憶するものである。したがって、レジスタ２８３は、端子Ｐに信号が誘起される直前、すなわち、充電が中断されてから１０秒経過した時点における二次電池２２０の電圧値Ｅvdを記憶するように構成されている。
次に、減算器２８４は、入力端Ａへの入力値から入力端Ｂへの入力値を減算するものである。ここで、減算器２８４の入力端Ａには、レジスタ２８２に一時記憶された値が、入力端Ｂには、レジスタ２８３に一時記憶された値が、それぞれ供給されている。このため、減算器２８４は、二次電池の内部抵抗に起因する電圧上昇分ΔＥvを出力するように構成されている。
さて、変換テーブル２８５は、ΔＥvを電池容量Ｆに変換して出力するものであり、その対応関係は図２３に示される通りである。先に述べたように、また、図２２に示されるように、二次電池の充電が進行するにつれて、放電時から充電時への移行に伴う電圧上昇分ΔＥv（充電時から放電時への移行に伴う電圧降下分）が徐々に小さくなるから、ΔＥvが小さいほど、二次電池の容量が大きいことを示す。
なお、図２３に示される対応関係は、本来的に二次電池２２０の特性に応じて定められるべき性質のものである。
次に、制御回路２３０は、一時記憶メモリや演算ユニットなどを備える一種の中央処理制御装置であり、通常では、入力部２０３で設定されたモードに応じた表示（例えば、現在時刻表示など）を、表示部２０４に実行させるなどような制御を行う。
ただし、ステーション１００に収容された状態にあって、端子Ｐに信号が誘起されて信号ＣＨＲがＨレベルに遷移すると、制御回路２３０は、第１に、変換テーブル２８５によって変換出力された容量Ｆがフル充電状態の容量に相当するかを判別し、第２に、その判別結果に応じたコマンドcom1あるいはcom3を作成して、信号ＣＨＲがＬレベルの期間に送出し、第３に、コマンドの送出後、転送開始ボタン１０３2が押下されたのであれば、ステーション１００へ送信すべきディジタルデータを出力する処理を実行する。
なお、ステーション１００へ送信すべきディジタルデータとしては、図示しないセンサ等により計測された脈拍数や心拍数などの生体情報などが想定される。また、コマンドcom1あるいはcom3の意味内容については、後述する。
送信回路２５０は、ステーション１００へ送信すべきデータやコマンドなどをシリアル化するとともに、シリアルデータがＬレベルである期間において、一定周波数の信号をバーストしたスイッチング信号を出力するものである。送信回路２５０によるスイッチング信号は、抵抗２５１を介してトランジスタ２５２のベースに供給される。また、同トランジスタのエミッタは、二次電池２２０の正側端子に接続される一方、同トランジスタのコレクタは、コイル２１０の一方の端子Ｐに接続されている。
したがって、このような構成にかかる電子時計２００Ｂにあっては、図２１（ａ）に示されるように端子Ｐに信号が誘起されると、同図（ｂ）に示されるように
、信号が誘起されている期間に信号ＣＨＲはＨレベルとなるとともに、同図（ｃ）に示されるように、この期間に二次電池２２０の充電が行われる。一方、端子Ｐに信号が誘起されずに、信号ＣＨＲがＬレベルとなると、同図（ｄ）に示されるように、コマンドcom1、com3やディジタルデータなどが転送されるようになっている。
＜充電・データ転送の動作＞
次に、ステーション１００および電子時計２００Ｂの充電・データ転送の動作について、図３および図２０のブロック図とともに、図２４および図２５のフローチャートを参照して説明する。
まず、ユーザは、電子時計２００Ｂをステーション１００の凹部１０１に収容させる。これにより、ステーション側コイル１１０と時計側コイル２１０とは、図２に示したように互いに対向するため、電磁的に結合した状態となる。
この後、ユーザによって充電開始ボタン１０３1あるいは転送開始ボタン１０３2が押下されると、パルス信号ＳＴＲによって、タイマＡ１４１およびタイマＢ１４２がカウント動作を開始する（ステップＳ１０１）。また、パルス信号ＳＴＲによって、充電・転送切換器１７０は、図４（ａ）に示したような第１充電信号を信号ｅとして出力する（ステップＳ１０２）。
次に、タイマＡ１４１がカウント動作を終了したか否かが、信号ａの反転信号によって判別される（ステップＳ１０３）。カウント動作が終了していれば、それは、充電開始ボタン１０３1あるいは転送開始ボタン１０３2が押下されてから１０時間以上経過したことを意味する。このため、処理回路１３０は、例えば、図２６（ｂ）に示されるような表示を表示部１０４に対して行わせる（ステップＳ１０４）。また、信号ａの反転信号により信号ＯＦＦがＨレベルとなるので、充電・転送切換器１７０は、信号ｅをＬレベルに保持する。このため電子時計２００Ｂの充電は終了することになる。
一方、タイマＡ１４１がカウント動作を終了していなければ、充電・転送切換器１７０は第１充電信号を信号ｅとして出力する。この結果、ステーション側コイル１１０は、信号ｅがＨレベルの期間に、トランジスタ１５３によるスイッチングによって外部磁界を発生させる一方、信号ｅがＬレベルの期間において、電子時計２００Ｂからのコマンドを受信すべく待機状態となる。
さて、この外部磁界が発生すると、電子時計２００Ｂ側においては、端子Ｐに信号が誘起される。ここで、現時点において二次電池２２０の電池残量がなければ（ステップＳ２０１のＮｏ）、各部が動作しないため、以降のステップＳ２０２〜Ｓ２０８が実行不可能となり、ステーション１００側へはコマンドが送出されない。
一方、現時点において電池残量があれば（ステップＳ２０１のＹｅｓ）、レジスタ２８２において充電時の電圧値Ｅvcが一時的に記憶され（ステップＳ２０２）、レジスタ２８３において充電中断時の電圧値Ｅvdが一時的に記憶され（ステップＳ２０３）、そして、減算器２８４は、各レジスタに記憶された電圧値Ｅvcおよび電圧値Ｅvdをそれぞれ読み出すとともに、前者から後者を減算して、二次電池２２０の内部抵抗に起因する電圧上昇分ΔＥvを出力する（ステップＳ２０４）。
次に、変換テーブル２８５は、電圧上昇分ΔＥvを容量Ｆに変換出力する。これにより、電圧上昇分ΔＥvから、現時点における二次電池２２０の容量が推定されることとなる（ステップＳ２０５）。
制御回路２３０は、この容量Ｆが、所定の容量、例えば、フル充電状態に相当する容量であるか否かを判別して（ステップＳ２０６）、この判別結果が肯定的であれば、以降、充電する必要がないので、その旨をステーション１００に通知すべく、コマンドcom3を送出する一方（ステップＳ２０７）、この判別結果が否定的であれば、引き続き、充電を続行する必要があるので、その旨をステーション１００に通知すべく、コマンドcom1を送出する（ステップＳ２０８）。
なお、コマンドcom1あるいはcom3の送出は、端子Ｐに信号が誘起されていない期間に、すなわち、ステーション１００側にあっては信号ｅがＬレベルである１０秒間の期間に、電子時計２００Ｂ側にあっては信号ＣＨＲがＬレベルである期間に、実行される。
このように、端子Ｐに信号が誘起されると、電子時計２００Ｂは、第１に、充電時における二次電池２２０の電圧値Ｅvcおよび充電中断時における二次電池２２０の電圧値Ｅvdを検出し、第２に、前者から後者を減算することで二次電池２２０の内部抵抗に起因する電圧上昇分ΔＥvを求め、第３に、この電圧上昇分ΔＥvから電池容量を推定し、第４に、推定した電池容量が、所定の容量であるか否かを判別して、この判別結果に応じたコマンドを送出する構成となっている。
なお、ステーション１００は、第１充電信号にしたがった充電を、少なくともタイマＢ１４２の動作期間である３０分の期間実行する。このため、二次電池２２０が当初、データ転送可能状態になくて、コマンドcom1あるいはcom3が電子時計２００Ｂから送出されなくても、３０分充電される結果、データ転送となる容量までは充電されることになる。
すなわち、電子時計２００Ｂが、ステーション１００に収容されて、充電開始ボタン１０３1あるいは転送開始ボタン１０３2が押下されて３０分経過した後には、二次電池２２０はデータ転送可能状態になるから、コマンドcom1あるいはcom3のいずれかが送出される構成となっている。
したがって、ステーション１００へコマンドが全く送出されない場合とは、電子時計２００Ｂがステーション１００に収容されていない場合である。
一方、待機状態となったステーション１００において、電子時計２００Ｂからコマンドcom1あるいはcom3のいずれかが受信されたか否かが判別される（ステップＳ１１１）。ここで、コマンドcom1、com3のいずれも受信されない場合、タイマＢ１４２がカウント動作を終了したか否かが判別される（ステップＳ１１２）。具体的には、信号ｂがＨレベルとなる３０分の期間において、信号ｃがＨレベルとなったか否かがコマンド検出器１６０によりチェックされる。
タイマＢ１４２がカウント動作を終了しても、なんらコマンドcom1、com3を受信しない場合とは、上述のように、電子時計２００Ｂがステーション１００に収容されていない場合であり、コマンド検出器１６０による信号ｄがＨレベルとなる場合である。
したがって、処理回路１３０は、信号ｄがＨレベルに遷移したことによって、例えば、図２６（ａ）に示されるような警告表示を表示部１０４に対して行わせて（ステップＳ１１３）、ユーザにその旨を告知する。
また、信号ｄにより信号ＯＦＦがＨレベルとなるので、充電・転送切換器１７０は信号ｅをＬレベルに保持する。このため、電子時計２００Ｂが収容されていない場合の無用な充電動作は終了することになる。
一方、タイマＢ１４２がカウント動作を終了していなければ、引き続き、充電を実行すべく、処理手順がステップＳ１０２に戻って、第１充電信号の送出が継続される。
さて、待機状態となったステーション１００において、電子時計２００Ｂから何らかのコマンドが受信された場合、その受信コマンドがデコーダ１５５によりデコードされる（ステップＳ１１４）。
ここで、受信コマンドがcom1であれば、はじめに押下されたボタンが充電開始ボタン１０３1であったのか否かが判別される（ステップＳ１１５）。詳細には、信号com1の供給を受けた充電・転送切換器１７０が、以前に信号ＣＳの供給を受けたか否かを判別する。この判別結果が肯定的であれば、充電・転送切換器１７０は、送出する信号ｅを、図４（ａ）に示したような第１充電信号から同図（ｂ）に示される第２充電信号へと切り換える。そして、引き続き、充電を継続すべく
、処理手順がステップＳ１０３に戻る。
上述のように、充電は信号ｅのＨレベル期間で行われる一方、データ転送は信号ｅのＬレベル期間で行われる。また、第２充電信号としての信号ｅがＨレベルとなる期間は、第１充電信号のそれよりも比べて長期化している。よって、第２充電信号の送出により、充電時間ｔを経過したか否かのチェック結果たるコマンドを受信する頻度が低下する一方、充電するための期間が長期化するため、電子時計２００Ｂの充電効率が向上することとなる。
一方、受信コマンドがcom1であって、はじめに押下されたボタンが転送開始ボタン１０３2であれば、後述するステップＳ１２１〜Ｓ１２３のデータ転送が実行される。
また、受信コマンドがcom3であれば、はじめに押下されたボタンが充電開始ボタン１０３1であったのか否かが判別される（ステップＳ１１７）。詳細には、信号com3により信号ＯＦＦの提供を受けた充電・転送切換器１７０が、以前に信号ＣＳの供給を受けたか否かを判別する。この判別結果が肯定的であれば、これ以上、二次電池２２０を充電する必要がないので、充電・転送切換器１７０は、信号ｅをＬレベルに保持する。これにより、所望の容量以上の充電となる不要な充電動作は終了することになる。
一方、受信コマンドがcom3であって、はじめに押下されたボタンが転送開始ボタン１０３2であれば、次のステップＳ１２１〜Ｓ１２３のデータ転送が実行される。
すなわち、コマンドcom1、com3に続いて送出されたディジタルデータは、受信回路１５４によって受信され、デコーダ１５５によってデコードされて、処理回路１３０に転送されて（ステップＳ１２１）、終了するまで繰り返される（ステップＳ１２２）。そして、この転送が完了すると、処理回路１３０は、例えば、図２６（ｃ）に示されるような表示を表示部１０４に対して行わせるとともに（ステップ１２３）、受信したディジタルデータに基づく表示を表示部１０４に行わせる。
この後、処理回路１３０は、図３では示されないラインによって、充電・転送切換器１３０に対して信号ｅの供給を停止させて、充電・データ転送を終了させる。
このような実施形態において、充電開始ボタン１０３1あるいは転送開始ボタン１０３2が押下されると、第１充電信号が信号ｅとしてステーション１００から送出されるので、電子時計２００Ｂの二次電池２２０が間欠的に充電される。ここで、電子時計２００Ｂは、充電時における二次電池２２０の電圧値Ｅvcから、充電中断時における電圧値Ｅvdを減算して、二次電池２２０の内部抵抗に起因する電圧上昇分ΔＥvを求め、この電圧上昇分ΔＥvから電池容量を推定し、推定した電池容量が所定の容量であるか否かを判別する。
そして、推定した電池容量が所定の容量に達していなければ、コマンドcom1がステーション１００へ送出される結果、第２充電信号（図４（ｂ）参照）が充電・データ転送を切り換える信号ｅとして用いられるので、電子時計２００Ｂの充電効率が向上することとなる。
また、推定した電池容量が所定の容量に達していれば、コマンドcom3がステーション１００へ送出される結果、信号ｅがＬレベルに保持されるので、充電が終了することとなる。
したがって、本実施形態によれば、充電を間欠的に行うことによって得た電圧上昇分ΔＥvから電池容量を推定し、この推定容量が所望の容量、例えば、フル充電状態に相当する容量に達したら充電が終了するので、不要な充電が行われる不都合が解消される。
［４］  第４実施形態
次に、本発明の第４実施形態について説明する。
上記第３実施形態にあっては、充電を間欠的に実行して、放電時から充電時へ移行したときの二次電池２２０の電圧上昇分ΔＥvを求め、この電圧上昇分ΔＥvから電池容量を推定する構成となっていた。これに対し、本第４実施形態にあっては、充電中断時における電圧値Ｅvdそのものが、電池容量に対応している点に着目して、この電圧値Ｅvdから電池容量を推定するものである。
このため、構成的には、図２７に示されるように、レジスタ２８３に一次記憶された電圧値Ｅvdが制御回路２３０に供給される構成となっている。
また、本第４実施形態にかかる制御回路２３０は、第３実施形態の機能にくわえて、二次電池２２０の容量関数Ｆ（ｖ）を予めテーブル化や数式化して記憶する機能も有するものである。
図２８は、第４実施形態にかかる電子時計２００Ｃの動作を示すフローチャートである。
ステーション側コイル１１０によって外部磁界が発生すると、電子時計２００Ｃ側において、時計側コイル２１０の端子Ｐに信号が誘起される。そして、その時点において二次電池２２０の電池残量があれば、レジスタ２８３において充電中断時の電圧値Ｅvdが一時的に記憶される（ステップＳ２０３）。そして、制御回路２３０は、電圧値Ｅvdを容量関数Ｆ（ｖ）に代入して、容量Ｆを求め（ステップＳ２５１）、この容量Ｆが、所定の容量、例えば、フル充電状態に相当する容量であるか否かを判別して（ステップＳ２０６）、この判別結果が肯定的であれば、コマンドcom3を送出する一方（ステップＳ２０７）、この判別結果が否定的であれば、コマンドcom1を送出する（ステップＳ２０８）。
このように第４実施形態によれば、電圧値Ｅvdから推定される電池容量が、所定の容量、例えば、フル充電状態に相当する容量に達したならば、その時点で充電が終了するので、第１実施形態と同様に、不要な充電を行う不都合が解消される。
また、推定される電池容量が所定の容量に達していなければ、第２充電信号（図４（ｂ）参照）が信号ｅとして用いられるので、電子時計２００Ｃへの充電効率が向上する点も同様である。
［５］  第５実施形態
次に本発明の第５実施形態について説明する。
上記第３実施形態にあっては、充電を間欠的に実行して、放電時（電子機器が動作している状態）から充電時へ移行したときの二次電池２２０の電圧上昇分ΔＥｖを充電中断直前の時点の電圧から充電中断時点から一定時間経過後の時点の電圧を差し引くことにより求め、この電圧上昇分ΔＥvから電池容量を推定する構成となっていた。
これに対し、本第５実施形態にあっては、充電を間欠的に実行して、放電時（電子機器が動作している状態）から充電時へ移行したときの二次電池２２０の電圧上昇分ΔＥvを充電再開直後の時点から充電再開直前の時点の電圧を差し引くことにより求め、この電圧上昇分ΔＥvから電池容量を推定する構成とする。
この結果、本第５実施形態によれば、第３実施形態と同様の効果を得ることができる。
［６］  第６実施形態
次に本発明の第６実施形態について説明する。
上記第３実施形態にあっては、充電を間欠的に実行して、放電時（電子機器が動作している状態）から充電時へ移行したときの二次電池２２０の電圧上昇分ΔＥｖを充電中断直前の時点の電圧から充電中断時点から一定時間経過後の時点の電圧を差し引くことにより求め、この電圧上昇分ΔＥvから電池容量を推定する構成となっていた。
これに対し、本第６実施形態にあっては、充電中断時から一定時間が経過した時点における二次電池２２０の電圧と、充電再開時の直前の二次電池２２０の電圧と、の差である電圧下降分ΔＥv’についても、電池容量に対応している点に着目してこの電圧下降分ΔＥv’から電池容量を推定するものである。
図３２に第６実施形態の電子時計２００Ｄの概要構成ブロック図を示す。図３２において、図２０の第３実施形態と同様の部分には同一の符号を付し、その詳細な説明を援用する。以下、異なる部分を中心として説明する。
図３２において、レジスタ２８２は、信号ＣＨＲの立ち下がりにおいて（図３３参照）、電池電圧検出回路２８１により検出された電圧値Ｅvを一時的に記憶するものである。したがって、レジスタ２８２は、端子Ｐに信号の誘起終了時から一定の時間（経過時間零でも可）が経過した時点、すなわち、充電中断時から一定の時間が経過した時点における二次電池２２０の電圧値Ｅvc’を記憶するように構成されている。
一方、レジスタ２８３は、信号ＣＨＲの立ち上がりにおいて、電池電圧検出回路２８１により検出された電圧値Ｅvを一時的に記憶するものである。したがって、レジスタ２８３は、端子Ｐに信号が誘起された時点、すなわち、充電開始時の直前の二次電池２２０の電圧値Ｅvd’を記憶するように構成されている。
次に、減算器２８４は、入力端Ａへの入力値から入力端Ｂへの入力値を減算するものである。ここで、減算器２８４の入力端Ａには、レジスタ２８２に一時記憶された値が、入力端Ｂには、レジスタ２８３に一時記憶された値が、それぞれ供給されている。このため、減算器２８４は、電圧下降分ΔＥv’を出力するように構成されている。
さて、変換テーブル２８５は、ΔＥv’を電池容量Ｆに変換して出力するものであり、その対応関係は図３５に示される通りである。また、図３４に示されるように、二次電池の充電が進行するにつれて、充電中断時から充電開始時に至るまでの電圧下降分ΔＥv’（充電時から放電時への移行に伴う電圧降下分）が徐々に小さくなるから、ΔＥv’が小さいほど、二次電池の容量が大きいことを示す。
なお、図３５に示される対応関係は、本来的に二次電池２２０の特性に応じて定められるべき性質のものである。
したがって、本第６実施形態によれば、充電を間欠的に行うことによって得た電圧下降分ΔＥv’から電池容量を推定し、この推定容量が所望の容量、例えば、フル充電状態に相当する容量に達したら充電が終了するので、不要な充電が行われる不都合が解消される。
なお、電圧値Ｅvd’を記憶するタイミングは、充電開始直前に限らず、充電開始直前から一定時刻前（ただし、電圧値Ｅvc’のサンプリング後）であっても構わない。
なお、現実的には、充電中断時間が一定であるので、充電中断開始時刻から一定時間が経過した後に電圧値Ｅvd’を記憶することとなる。
［７］  第３実施形態〜第６実施形態の変形例
［７．１］  第１変形例
上記第３実施形態〜第６実施形態にあっては、次のような変形が可能である。すなわち、実施形態におけるデータ転送は、電子時計２００からステーション１００への一方向のみであったが、ステーション１００から電子時計２００への方向であっても良いのはもちろんである。電子時計２００へデータ転送する場合、ステーション１００では、転送すべきデータに応じて変調する一方、電子時計２００では、その変調方式に合わせて復調する構成とすれば良い。この際、変調・復調は、公知の技術を適用すれば良い。
［７．２］  第２変形例
また、上記第３実施形態〜第６実施形態にあっては、検出された電圧値ＥvdおよびＥvcから、あるいは電圧値Ｅvdのみから、二次電池２２０の容量を電子時計２００側で推定する構成としたが、電圧値ＥvdやＥvcそのものをステーション１００に転送し、これらの値に応じて、二次電池２２０の容量をステーション１００側で推定して、充電やデータ転送を制御する構成としても良い。すなわち、二次電池２２０の容量を推定する主体は、電子時計２００であっても良いし、ステーション１００であっても良い。
［７．３］  第３変形例
さらに上記第３実施形態〜第６実施形態にあっては、１つの電池電圧検出回路２８１により検出された電圧値を一時記憶するタイミングの相違によって、充電時における電圧値Ｅvcと、充電中断時における電圧値Ｅvdとをそれぞれ検出する構成としたが、別個の電池電圧検出回路によって、充電時における電圧値Ｅvcと、充電中断時における電圧値Ｅvdとをそれぞれ検出する構成としてもよい。すなわち、本願にいう第１および第２の電圧検出手段とは、同一のものからなる場合と、別個独立のものからなる場合との双方をいう。ただし、上記実施形態のように、１つの電池電圧検出回路２８１により検出する構成の方が、異なる検出回路による検出誤差が発生しない点で有利である。
［７．４］  第４変形例
さらに、第３実施形態〜第６実施形態にあっては、充電中において、充電期間を長期化させることで、充電およびデータ転送の実行配分を変化させていたが、データ転送期間を短縮化させる構成としても良いし、双方の実行期間を変化させる構成でも良いし、充電およびデータ転送の実行配分を無段階に制御しても良い。
［７．５］  第５変形例
くわえて、第３実施形態〜第６実施形態では、充電機器としてステーション１００を、被充電機器として電子時計２００を例にとって説明したが、本願では、電力転送を行うすべての電子機器に適用可能である。例えば、電動歯ブラシや、電動ひげ剃り、コードレス電話、携帯電話、パーソナルハンディフォン、モバイルパソコン、ＰＤＡ（Personal Digital Assistants：個人向情報端末）などの二次電池を備える被充電機器と、その充電機器とに適用可能である。
［７．６］  第６変形例
以上の説明においては、電子時計から転送要求を出力するものとして説明したが、ステーションに直接あるいはネットワークを介して接続した情報処理装置側から転送要求を行うように構成することも可能である。
［８］  第７実施形態
以上の各実施形態においては、電子時計２００側からステーション１００側に転送を行う場合について説明していたが、電子時計２００が予め定めたデータの転送要求を行い、ステーション１００あるいは、ステーションに直接あるいはネットワークを介して接続した情報処理装置から対応するデータ（例えば、電子時計用の新オペレーティングシステム、各種制御用データ等）を転送するように構成することも可能である。
より具体的には、図９に点線で示すように、電子時計２００側に受信回路２３８を設け、電子時計２００は、図３６（ａ）に示すように、ステーションに予め定めたデータの転送を要求する転送要求データＤREQを送信する。
これによりステーション１００は、この転送要求データＤREQに基づいてステーション１００が直接接続されている、あるいは、ネットワークを介して接続されているパーソナルコンピュータやサーバ等の情報処理装置３００に当該転送要求データＤREQに対応するデータＤDを送信するのを要求するためのＤREQ1を送信する。
この結果、情報処理装置３００は、ステーション１００を介して、電子時計２００側に要求されたデータＤDを転送することとなる。
また、図３６（ｂ）に示すように、ステーションに予め定めたデータの転送を要求する転送要求データＤREQを送信し、これに応じて、ステーション１００が当該転送要求データＤREQに対応するデータＤDを送信するように構成することも可能である。
このように構成することにより、充電動作と同時に予め定められたデータを自動的に転送することが可能となる。
産業上の利用可能性
以上説明したように本発明によれば、携帯電子機器やその充電機器などのように、互いに分離した２以上の機器間において、互いに対向する位置にそれぞれ配設されたコイルとの電磁的な結合によって電力転送する場合に、両コイルの位置ずれや、被充電機器の不存在を非接触で検出することが可能となる。
さらに両コイルの位置ずれや、被充電機器の不存在を非接触で検出してその検出結果に応じて充電やデータ転送を制御することが可能となる。
また、充電されている二次電池の容量を簡易な構成によって推定可能となる。
さらに、充電機器が、被充電機器へ、互いに分離した２以上の機器間において、互いに対向する位置にそれぞれ配設されたコイルとの電磁的な結合によって非接触で二次電池を充電する場合であっても、二次電池の容量等を非接触で充電機器へ通知して、所望の容量に充電することが可能となる。
【図１】
0003826407.tif 000002
【図２】
0003826407.tif 000003
【図３】
0003826407.tif 000004
【図４】
0003826407.tif 000005
【図５】
0003826407.tif 000006
【図６】
0003826407.tif 000007
【図７】
0003826407.tif 000008
【図８】
0003826407.tif 000009
【図９】
0003826407.tif 000010
【図１０】
0003826407.tif 000011
【図１１】
0003826407.tif 000012
【図１２】
0003826407.tif 000013
【図１３】
0003826407.tif 000014
【図１４】
0003826407.tif 000015
【図１５】
0003826407.tif 000016
【図１６】
0003826407.tif 000017
【図１７】
0003826407.tif 000018
【図１８】
0003826407.tif 000019
【図１９】
0003826407.tif 000020
【図２０】
0003826407.tif 000021
【図２１】
0003826407.tif 000022
【図２２】
0003826407.tif 000023
【図２３】
0003826407.tif 000024
【図２４】
0003826407.tif 000025
【図２５】
0003826407.tif 000026
【図２６】
0003826407.tif 000027
【図２７】
0003826407.tif 000028
【図２８】
0003826407.tif 000029
【図２９】
0003826407.tif 000030
【図３０】
0003826407.tif 000031
【図３１】
0003826407.tif 000032
【図３２】
0003826407.tif 000033
【図３３】
0003826407.tif 000034
【図３４】
0003826407.tif 000035
【図３５】
0003826407.tif 000036
【図３６】
0003826407.tif 000037